(57)【特許請求の範囲】
【請求項１】
手で把持できる本体の一端に、生体表面に対して光を照射する光照射部を設けているとともに、生体表面の毛を除毛する除毛部を前記光照射部に隣接させて設けている光照射型美容装置において、
前記光照射部は、光漏れ防止用の遮光筒部を備え、前記遮光筒部と前記除毛部とは単一のフレームに取り付けられて、該フレームとともに本体に対して着脱自在となっており、
前記遮光筒部と前記除毛部は、前記本体に対して夫々独立してフロート自在であって、前記生体表面に押し付けた際に本体側へ沈むものであり、
前記除毛部を前記生体表面に押し当てた際の前記フロートによる前記除毛部の最大沈み位置を、前記遮光筒部を前記生体表面に押し当てた際の前記フロートによる前記遮光筒部の最大沈み位置よりも深くしている
ことを特徴とする光照射型美容装置。
【請求項２】
前記除毛部は、櫛刃状の固定刃及び櫛刃状の可動刃を有するトリマー刃からなることを特徴とする請求項１記載の光照射型美容装置。
【請求項３】
前記トリマー刃における前記可動刃の往復駆動方向と、前記光照射部が光源として備える直線管球状のキセノンフラッシュランプの長手方向とが略平行であることを特徴とする請求項１または２記載の光照射型美容装置。
【請求項４】
前記遮光筒部は、前記光照射部における光出口部を覆う透明部材を備えていることを特徴とする請求項１〜３のいずれか１項に記載の光照射型美容装置。
【請求項５】
前記光照射部は、前記フロートによる前記遮光筒部の最大沈み位置で発光を行うものであることを特徴とする請求項１〜４のいずれか１項に記載の光照射型美容装置。
【発明の詳細な説明】
【技術分野】
【０００１】
本発明は、光照射型美容装置に関し、特に除毛部と、生体表面に光照射を行う光照射部とを備えた光照射型美容装置に関する。
【背景技術】
【０００２】
脱毛または剃毛をする除毛部と、生体表面に光を照射する光照射部とを備えている光照射型美容装置が特許文献１や特許文献２や特許文献３に示されている。これらはいずれも手で把持して使用できるコンパクトな本体の端面に除毛部と光照射部とを配置し、除毛と光照射とを同時に行うことができるようにしている。
【０００３】
ところで生体表面に光照射部を押し当てて光を照射する時、この光の強度が大の場合、光が漏れ出ることがないようにしておくことが安全性の点で好ましい。
【先行技術文献】
【特許文献】
【０００４】
【特許文献１】特開２００２−３６０３３６号公報
【特許文献２】特開２００４−２５４８５８号公報
【特許文献３】国際公開ＷＯ２００８/０９０９５２
【発明の概要】
【発明が解決しようとする課題】
【０００５】
本発明はこのような点に鑑みなされたものであって、光漏れを防ぐことができる光照射型美容装置を提供することを課題とするものである。
【課題を解決するための手段】
【０００６】
本発明は、手で把持できる本体の一端に、生体表面に対して光を照射する光照射部を設けているとともに、生体表面の毛を除毛する除毛部を前記光照射部に隣接させて設けている光照射型美容装置において、前記光照射部は、光漏れ防止用の遮光筒部を備え、前記遮光筒部と前記除毛部とは単一のフレームに取り付けられて、該フレームとともに本体に対して着脱自在となっており、前記遮光筒部と前記除毛部は、前記本体に対して夫々独立してフロート自在であって、前記生体表面に押し付けた際に本体側へ沈むものであり、前記除毛部を前記生体表面に押し当てた際の前記フロートによる前記除毛部の最大沈み位置を、前記遮光筒部を前記生体表面に押し当てた際の前記フロートによる前記遮光筒部の最大沈み位置よりも深くしていることに特徴を有している。
【０００７】
前記除毛部は、櫛刃状の固定刃及び櫛刃状の可動刃を有するトリマー刃からなるものを好適に用いることができる。
【０００８】
また、前記トリマー刃における前記可動刃の往復駆動方向と、前記光照射部が光源として備える直線管球状のキセノンフラッシュランプの長手方向とが略平行であることが好ましい。
【０００９】
また、前記遮光筒部は、前記光照射部における光出口部を覆う透明部材を備えていることが好ましい。
【００１０】
さらに前記光照射部は、前記フロートによる前記遮光筒部の最大沈み位置で発光を行うものであることが好ましい。
【発明の効果】
【００１１】
本発明においては、光照射部に光漏れ防止用の遮光筒部を備えているために、光漏れのない光照射を行うことができる。また、遮光筒部は除毛部とともにフレームに取り付けられてフレームごと本体から取り外すことができるために、除毛部によって切断された毛の毛屑の掃除等が容易である。
【図面の簡単な説明】
【００１２】
【図１】本発明の一実施形態の一例における美容装置本体の縦断面図である。
【図２】(a)(b)は同上の美容装置本体及び電源装置の平面図と正面図である。
【図３】(a)(b)は同上の美容装置本体の正面図と側面図である。
【図４】同上の美容装置本体の横断面図である。
【図５】同上の美容装置本体の他の位置での横断面図である。
【図６】同上の美容装置本体の更に他の位置での横断面図である。
【図７】同上の分解斜視図である。
【図８】同上のフレーム及びフレームに装着されるトリマー刃と遮光筒部の分解斜視図である。
【図９】同上の照射ユニット部の分解斜視図である。
【図１０】同上の支持基台回りの分解斜視図である。
【発明を実施するための形態】
【００１３】
以下、本発明を実施形態の一例に基づいて説明する。なお、説明の便宜上、光照射部４からの光の光軸方向を上下方向とし、光照射部４と除毛部３とが配されて生体表面に接触させることになる面を上側として説明する。
【００１４】
図示例の光照射型美容装置は、人や動物といった生体の皮膚等（以下、生体表面という）に生えた毛を除去した上で、光の照射により生体表面の毛の成長や再生を抑制する（以下、抑毛という）もので、図２に示すように、生体表面に抑毛処理を施す美容装置本体１と、この美容装置本体１にケーブル７１を介して接続された電源装置７０とを備える。電源装置７０は、コンデンサー等により構成された大容量高圧蓄電装置や制御回路を内蔵し、上面にはコンパクトに形成された美容装置本体１を載置収納することができるものとなっている。
【００１５】
美容装置本体１は、外殻を形成するケーシング１０と、ケーシング１０内に収容され且つ生体表面から生えた毛を除毛する除毛部３と、ケーシング１０内に収容され且つ生体表面に光照射を行なう光照射部４とを備える。また美容装置本体１は、光照射部４を冷却するための冷却装置５と、光照射部４側へ毛屑が進入するのを防止するための毛屑進入阻止部とをさらに備える。
【００１６】
下側程先細りとなっているケーシング１０は、側方に湾曲した弧状に形成されており、その上面には除毛部３が上記湾曲の内側に位置し、光照射部４が外側に位置している。ケーシング１０は、図７にも示すように、当該ケーシング１０における下部及び中央部分を構成する本体部１１と、当該ケーシング１０における上部を構成するフレーム１２とからなる。手で持つための把持部を構成する本体部１１は、ユーザーが片手で把持可能な程度の外径にて構成され、フレーム１２は本体部１１に対して着脱自在に設けられている。
【００１７】
下方が開口した有蓋箱形状のフレーム１２は、図８に示すように、光照射部４が取り付けられる光照射部装着部と、除毛部３が取り付けられる除毛部装着部とを備える。光照射部４を装着するための光照射部装着部は、上下方向に貫通する平面視長矩形状の取付開口１４１を有して、遮光筒部４０を上下動自在に保持する。また、光照射部装着部は、図１に示すように、当該光照射部装着部と除毛部装着部との間に位置する仕切壁１６と、この仕切壁１６に対向する縦壁１７とを備える。仕切壁１６と縦壁１７は、遮光筒部４０に設けられたガイド突起４０４の移動を案内する上下に長いガイド溝１８１を有して、遮光筒部４０の上下移動をガイドする一対のガイド面を構成する。また光照射部装着部は、取付開口１４１の内周縁に、遮光筒部４０に設けられた係合部４０５と係合する被係合部１９を有しており、この被係合部１９は、遮光筒部４０が所定の位置から上方へと移動しないよう規制する。
【００１８】
仕切壁１６は、フレーム１２の上端面の裏面から下方に向けて突設されたもので、光照射部装着部の取付開口１４１の内周縁と面一となるよう設けられている。また、仕切壁１６は、光照射部４と除毛部３との間に位置しており、除毛部３によりカットされた毛屑が光照射部４側へと進入するのを阻止する。
【００１９】
除毛部３を構成するトリマー刃３０を上下動自在に収容する除毛部装着部は、図８に示すように、上下方向に貫通する取付開口１５１を有している。光照射部装着部に隣接配置された除毛部装着部の取付開口１５１は、細長いスリット形状となっており、その長手方向が光照射部装着部の取付開口１４１の長手方向と略平行している。
【００２０】
フレーム１２の除毛部装着部側の側面には除毛部３の上下操作用のレバー３１（詳細は後述する）を装着するためのレバー装着部２０を有している。このレバー装着部２０は、レバー３１の作動部３１１を貫通させるために内外に貫通するとともに上下方向に長い長孔としての連通孔２１を有している。
【００２１】
さらにフレーム１２は、図４に示すように、対向する側面にそれぞれ設けられた一対の係止部１４２が設けられている。この係止部１４２は、本体部１１に設けられた被係止部１１２に係合することで、本体部１１に対してフレーム１２を着脱自在とする。本体部１１の被係止部１１２は、外側方に向けて弾性的に付勢された解除部１１１に設けられており、ユーザーが解除部１１１を内方側に押圧すると、係止部１４２との係合状態を解除することができる。
【００２２】
前記除毛部３は、生体表面から生えた毛を切断することで除毛するもので、本実施形態の除毛部３は、トリマー刃３０と、このトリマー刃３０を駆動させる駆動装置３２とを備える。
【００２３】
トリマー刃３０は、共に櫛刃状の固定刃及び可動刃と、トリマーカバー３０３、トリマー基台３０４、そして可動刃を固定刃側に弾性的に付勢するばねとを備える。なお、ここでは可動刃が固定刃よりも生体表面側に位置するものとしている。
【００２４】
トリマー基台３０４は、図８に示すように、フレーム１２の側面に沿って上下に長く形成されたもので、前記レバー３１から突設された作動部３１１に連結固定される連結片３０５と、トリマー刃３０の長手方向の略中央に設けられて可動刃に上端が連結された駆動片３０６とを備える。
【００２５】
本実施形態の連結片３０５は、上下に長い長孔３０７を有しており、その下端にはフレーム１２の内面に形成されているばね受け３０９（図６参照）との間に配されるフロートばね３０８が接している。このためにトリマー基台３０４はフロートばね３０８によって上方に向けて付勢されている。
【００２６】
駆動片３０６は、その片面に下方に開口した二股状部を備えており、駆動装置３２の後述する駆動ピン３２５が係合する。トリマー刃３０の長手方向と平行な方向に揺動するよう構成された駆動片３０６は、駆動装置３２による駆動ピン３２５の揺動に伴って可動刃を長手方向に往復動させる。
【００２７】
トリマー基台３０４と係合する前記レバー３１は、トリマー刃３０を上下に動かすための操作手段を構成するもので、前述のようにフレーム１２のレバー装着部２０に取り付けられる。そしてレバー３１の背面から突設された突起状の作動部３１１が、フレーム１２のレバー装着部２０に設けられた連通孔２１を通じて、トリマー基台３０４の連結片３０５に連結される。
【００２８】
ここでトリマー基台３０４の連結片３０５は、上下に長い長孔３０７を備えており、作動部３１１はこの長孔３０７内を上下に移動可能となっている。一方、トリマー基台３０４は前述のようにフロートばね３０８によって上方に付勢されているために、レバー３１がレバー装着部２０における上方位置にある時も、作動部３１１は上下に長い長孔３０７の下端に接した状態にある。そしてこの状態でトリマー刃３０を上から押せば、トリマー刃３０（トリマー基台３０４）は作動部３１１が長孔３０７の上端に当接するまでフロートばね３０８に抗して沈む。トリマー刃３０の押し込みを解除すれば、トリマー刃３０はフロートばね３０８の付勢で上方へと復帰する。
【００２９】
つまり、トリマー刃３０はフロートばね３０８のばね力によってフロート自在となっているものであり、フロートのストロークは上記作動部３１１と長孔３０７とによって図１中Ｆａで示す範囲に規定されている。
【００３０】
そしてレバー３１を引き下げても、作動部３１１を介して連結されたトリマー基台３０４（トリマー刃３０）は下降するものであり、作動部３１１が連通孔２１の側壁の突部を乗り越えたならば、トリマー刃３０は下降した位置で保持される。この時、トリマー刃３０は上記フロートストロークＦａを越えるストロークＳで引き下げられ、トリマー刃３０の上端がフレーム１２の上端面と略同レベルとなる。これは、除毛部３を作動させずに光照射のみを行う場合を想定したものであり、このためにレバー３１の操作によってトリマー刃３０を引き下げた時には、トリマー刃３０は上述のフロート時よりも引き下げられると同時に、トリマー基台３０４が後述する除毛部用スイッチ５５をオフとすることで、駆動装置３２を停止させるものとなっている。
【００３１】
駆動装置３２は、図１及び図５に示すように、駆動源となるモータ３２０と、モータ３２０の回転軸とトリマー基台３０４の駆動片３０６との間に設けられてモータ３２０の駆動力を当該駆動片３０６に伝達する揺動機構部３２１と、これらを保持するモータ基台部３２６とからなる。モータ基台部３２６は、ケーシング１０内に固設された支持基台５１に固設され、モータ３２０をケーシング１０内部に固定する。
【００３２】
揺動機構部３２１は、モータ３２０の回転軸に固設される偏芯カム３２２と、略中心がモータ基台部３２６に軸支され且つ偏芯カム３２２によってトリマー刃３０の長手方向と平行な方向に揺動する揺動レバー３２３とを備える。揺動レバー３２３は、偏芯カム３２２に接続されるカム接続部３２４と、カム接続部３２４とは反対側に位置する駆動ピン３２５とを有している。駆動ピン３２５は、前述のようにトリマー刃３０の駆動片３０６に接続されるもので、中心軸３２７廻りに揺動することで、トリマー刃３０の可動刃を往復動させる。
【００３３】
このように構成された除毛部３に隣接配置されている光照射部４は、生体表面に光照射を行うことで生体表面に対して抑毛効果を及ぼすもので、ここでは生体表面に沿って美容装置本体１を移動させる際に、その移動方向において除毛部３の後方側に位置し、除毛部３により除毛された直後の生体表面に光照射を行なう。
【００３４】
次に光照射部４の詳細について説明すると、図示例の光照射部４は、上下方向に移動自在な遮光筒部４０と、この遮光筒部４０内に収容され且つ内部に発光体４４を有する照射ユニット部４２とで構成される。
【００３５】
遮光筒部４０は、図８に示すようにフレーム１２の上記ガイド溝１８１内に嵌入するガイド突起４０４を側面に備えて、光照射部装着部に対して上下動自在となっている。また、遮光筒部４０はその端面に、フレーム１２に設けられた被係合部１９に係合することで抜け止めを行う係合部４０５を有している。
【００３６】
遮光筒部４０は、その上面が生体表面に押し付けられて当該生体表面と密着することで、発光体４４からの光が外部に漏れるのを防止するもので、上述のようにフレーム１２の光照射部装着部に上下方向にスライド移動自在に装着される。また、遮光筒部４０は上方側に向けてばね付勢されており、生体表面に押し付けることで押し下げられて最も下方側に位置した時点で発光体４４を発光させる発光スイッチを兼ねている（後に詳述する）。
【００３７】
さらに遮光筒部４０は、上方側に透明部材４１が嵌め込まれた照射開口を有し且つ下方が開口する角筒状に形成されたもので、透過率の高い透明な板材により構成された上記透明部材４１は、照射ユニット部４２と生体表面との間に位置することで、発光体４４の発光によって高温となる照射ユニット部４２が生体表面に接触するのを防止するとともに、除毛部３でカットされた毛屑が照射ユニット部４２のレンズ４８に付着するのを防止する。また遮光筒部４０は、その側面に内外を貫通する通気連通口４０３が穿設されている。この通気連通口４０３は、冷却装置５としての送風ファン５０から送られた空気を外部に排出するための開口である。
【００３８】
照射ユニット部４２は、図９に示すように、発光体収容部材４３０と底面部材４３１とからなるケース部４３と、このケース部４３内に収容され且つ光源となる発光体４４と、発光体４４から発光された光を生体表面側へ反射・集光するリフレクター４５と、発光体４４及びリフレクター４５を保持する光源基台部４６とからなるユニットで、リフレクター４５と光源基台部４６との間には発光体４４やリフレクター４５を弾性的に保持する弾性部材４７が介装されている。
【００３９】
発光体収容部材４３０は、発光体４４からの光を通す照射窓４３３を上面に有し且つ下方側が開口する角筒状であり、長矩形状に形成されている照射窓４３３には、その開口を塞ぐ透明なレンズ４８が設けられている。このレンズ４８は、発光体４４から照射される光のうち、紫外線等の不要な波長の光をカットする光学フィルターの機能も有するもので、光源基台部４６の上方に装着されて、照射窓４３３外縁の下面に当接した状態で設置されている。
【００４０】
また、発光体収容部材４３０はその照射窓４３３の外縁部に、ケース部４３内外を貫通する通気開口４３２が穿設されている。照射窓４３３の長手方向に沿うスリット状の開口として形成された通気開口４３２は、送風ファン５０から送られた空気をケース部４３内から遮光筒部４０内に排出する。
【００４１】
発光体収容部材４３０の下方開口には、底面部材４３１が設置される。この底面部材４３１は、発光体収容部材４３０の下方開口を閉塞するもので、冷却装置５から送風された空気をケース部４３内に導入する格子状の連通孔４３４を有している。
【００４２】
光照射部４の光源である発光体４４は、本例では直線管球状のキセノンフラッシュランプにより構成されている。その長手方向が、可動刃の往復方向と略平行となるよう配置された発光体４４は、前記電源装置７０に電気的に接続されており、遮光筒部４０が下方側に押し込まれて下死点に至ると、照射スイッチ５４がオンされて、高電圧が印加されて発光時間の極めて短いパルス光の照射を行なう。また発光体４４は、遮光筒部４０が下方側に移動して死点に位置したままの状態が保持されると、一定の間隔でパルス光を発光し続ける。
【００４３】
断面略Ｕ字状のリフレクター４５は、その開口が照射窓４３３に臨むよう配置されており、発光体４４から発せられた光を高効率で反射・集光し、照射窓４３３に向けて導光する。
【００４４】
このように構成された照射ユニット部４２は、図１に示すように、フレーム１２内の光照射部装着部に装着固定される。照射ユニット部４２の上面と上方にばね付勢されている遮光筒部４０の生体当接面の裏面との間には、光軸方向における遮光筒部４０の移動代のための間隙が形成される。
【００４５】
光照射部４の下方側には、当該光照射部４に隣接するようにして冷却装置５が設けられている。光照射部４を冷却するための冷却装置５は、本体部１１の上端部に固設された支持基台５１に取り付けた送風ファン５０により構成されている。本体部１１にフレーム１２が装着された状態で送風ファン５０を駆動すると、送風ファン５０は本体部１１の側面に設けられた給気口１１０から導入された空気は、送風ファン５０を経て、ケース部４３の連通孔４３４から通気開口４３２へと流通する。このとき流通する空気は、高温となった発光体４４とレンズ４８とに接触しながら流通して熱交換を行ない、その後、通気開口４３２を介して遮光筒部４０内を通り、遮光筒部４０の通気連通口４０３から外部に排出される。
【００４６】
支持基台５１は、図１０に示すように、基台部本体５２と、当該基台部本体５２の上方から取り付けられる覆設部５３とからなるもので、基台部本体５２は、送風ファン５０を収容した状態で覆設部５３が上方から設置される。これにより送風ファン５０は、支持基台５１に固定される。
【００４７】
また支持基台５１の基台部本体５２には、光照射部４の発光体４４を発光させるための光照射スイッチ５４と、除毛部３の可動刃の駆動を停止させる除毛部用スイッチ５５とを備えた回路基板５６が設置される。
【００４８】
支持基台５１の覆設部５３には、遮光筒部４０を上方に押圧する一対の押圧片５７が配置されている。この押圧片５７は、遮光筒部４０の押圧突起４０６の下端に当接する当接部５７０と、当接部５７０が下方に押し下げられることで前述の照射スイッチ５４を押し下げるスイッチ押圧部５７１と、上方側への抜け止めとなる係止爪５７２とを備える。そしてコイルばね５７３によって上方側に向けて付勢されている。このコイルばね５７３が遮光筒部４０をフロート状態に保つばねである。
【００４９】
さらに支持基台５１の覆設部５３には、除毛部押圧片５８が配置されている。この除毛部押圧片５８は、トリマー基台３０４の下端部に押し下げられることで、前述の除毛部用スイッチ５５を押下する。除毛部押圧片５８は、押圧片５７と同様、コイルばね５７３により上方側に向けて付勢されている。
【００５０】
この光照射型美容装置は、美容装置本体１の上端面に位置する除毛部３（トリマー刃３０）と光照射部４（遮光筒部４０）とを生体表面に押し当てて、トリマー刃３０の刃先方向に向けて美容装置本体１を生体表面に沿って移動させることで、美容処理を行う。
【００５１】
トリマー刃３０及び遮光筒部４０は前述のように夫々独立してフロート自在となっているために、両者が生体表面に共に接触している状態で除毛部３による除毛処理と、光照射処理とを行うことができる。殊に遮光筒部４０の生体当接面を生体表面に接触させて遮光性を有効に作用させた状態で照射スイッチ５４をオンさせることができる。
【００５２】
ここにおいて、本発明においては、トリマー刃３０及び遮光筒部４０を夫々独立してフロート自在としているだけでなく、通常時の遮光筒部４０とトリマー刃３０の上端面の高さを図１に示すように略同一とするとともに、遮光筒部４０のフロートストロークＦｂよりもトリマー刃３０のフロートストロークＦａを大きくして、遮光筒部４０よりもトリマー刃３０の方がより深い位置まで沈むことができるようにしている。このために、遮光筒部４０が下死点に達した状態で発光するようにしている本例においては、トリマー刃３０のフロート動作の範囲は、遮光筒部４０のフロートの下死点（照射スイッチ５４がオンとなる位置）の上方側に上死点が、下方側に下死点がくるものであり、これに伴って生体表面におけるトリマー刃３０が接触する部分と、遮光筒部４０が接触する部分との高さが異なっていても、トリマー刃３０と遮光筒部４０の両者が共に生体表面に接触した状態を保つことができる。
【００５３】
すなわち、腋のように凹凸のある生体表面に対してトリマー刃３０による除毛と、光漏れのない光照射による抑毛とを同時に行う時、美容装置本体１を生体表面に当てる角度を一定に保つことは難しいが、フロート自在な遮光筒部４０を生体表面に押し当てることで遮光筒部４０を沈ませて照射スイッチ５４をオンとした時、トリマー刃４０は遮光筒部４０とは独立したフロート動作によって生体表面に常に接して除毛を行うことができる状態となっている。従って、トリマー刃３０による除毛動作と光照射部４の光照射による抑毛動作とを常に確実に得ることができるものであり、しかも光照射部４と生体表面との接触部からの光漏れも殆どないものである。
【００５４】
また、本実施形態に係る美容装置本体１では、除毛部３を光照射部４より先行させたかたちで生体表面に沿って動かしながら、除毛と光照射による抑毛とを生体表面に対して行うが、この場合、除毛部３でカットされることで生じた毛屑が、光照射部４側へ進入してしまうことも考えられる。しかし、この美容装置本体１では毛屑進入阻止部によって光照射部４への毛屑の進入が阻止される。
【００５５】
つまり、除毛部３と光照射部４との間に設けられた仕切壁１６が除毛部３を装着するための取付開口１５１内に入り込んだ毛屑が、フレーム内で光照射部４側へ進入するのを阻止する。また、除毛部３及び光照射部４は共にフレームの上端面２２よりも飛び出しており、両者の間には除毛部３の水平方向の全長に亘るとともに当該除毛部３に沿った凹所６１が存在している。従ってユーザーが除毛部３で毛をカットしながら美容装置本体１を移動させると、移動方向において除毛部３よりも後方に位置する凹所６１に毛屑が入る。そして遮光筒部４０における除毛部３側の側面が堰となるために、光照射部４側へ毛屑が進入することがない。従って凹所６１も毛屑進入阻止部を構成するものとなっている。この結果、本実施形態の光照射型美容装置では、毛屑が光照射部４に付着して焦げたり、毛屑が光照射部４を覆って光量を低下させたりするのを防ぐことができる。
【００５６】
本実施形態における除毛部３を櫛状の固定刃と可動刃とを備えるトリマー刃３０で構成しているのは、除毛部３と光照射部４とを近接させて配置することができる上に除毛部３と光照射部４とを横断する方向の厚みを小さくすることができて、腋などの入り組んだ場所においても、除毛部３や光照射部４に対し、生体表面を密着させやすいからであるが、除毛部３を網刃やスリット刃として形成された固定刃（外刃）とこの固定刃内面に摺接する可動刃（内刃）とからなるもので構成したものであってもよい。
【００５７】
また本実施形態の光照射型美容装置では、光照射部４における遮光筒部４０のみをフロート自在としているが、照射ユニット部４２と遮光筒部４０とが一体にフロートするようにしたものであってもよい。いずれの場合においても、生体表面に光照射部４を密着させた状態で発光させることができて光漏れを低減することができ、効果的な光照射に加えて安全性を高くすることができる。
【００５８】
光照射部４における発光体４４としてキセノンフラッシュランプを用いた例を示したが、発光体４４はこれに限定されるものではない。
【符号の説明】
【００５９】
１  美容装置本体
３  除毛部
４  光照射部
５  冷却装置
１２  フレーム
４０  遮光筒部
４２  照射ユニット部
【図１】
0005672611.tif 000002
【図２】
0005672611.tif 000003
【図３】
0005672611.tif 000004
【図４】
0005672611.tif 000005
【図５】
0005672611.tif 000006
【図６】
0005672611.tif 000007
【図７】
0005672611.tif 000008
【図８】
0005672611.tif 000009
【図９】
0005672611.tif 000010
【図１０】
0005672611.tif 000011